(57)【要約】【課題】撮像機能を備えた携帯電話機において、シャッタ音を自由に設定可能とし、ユーザの満足度の向上を図る。【解決手段】情報授受システム１００において、携帯電話機１のＣＰＵ１１は、無線通信部１４により情報提供装置３から音声データを受信して、記憶部１５に記憶させる。また、ＣＰＵ１１は、入力部１２からの入力により選択された音声データをシャッタ音として設定し、設定内容を記憶部１５に記憶させる。更に、ＣＰＵ１１は、入力部１２のシャッタキーの押下を検出すると、撮影部１７により撮影を実行させるとともに、シャッタ音に設定された音声データを記憶部１５から読み出して送受話部１６のスピーカによって出力させる。【選択図】　　　図１
2004135032.tif 000002
【特許請求の範囲】
【請求項１】
被写体を撮像する撮像部を有する携帯電話機において、
通信ネットワークを介して接続された情報提供装置に音声データを要求する要求データを送信する送信部と、
前記要求データにより要求した音声データを前記情報提供装置から受信する受信部と、
前記受信部により受信した音声データを記憶する記憶部と、
前記記憶部に記憶された音声データをシャッタ音として設定する設定部と、
前記撮像部による撮像時に前記設定部によりシャッタ音に設定された音声データを出力する音声出力部と、
を備えることを特徴とする携帯電話機。
【請求項２】
被写体を撮像する撮像部を有する携帯電話機と情報提供装置とが通信ネットワークを介して接続された情報授受システムにおいて、
前記携帯電話機は、
前記情報提供装置に音声データを要求する要求データを送信する送信部と、
前記要求データにより要求した音声データを前記情報提供装置から受信する受信部と、
前記受信部により受信した音声データを記憶する記憶部と、
前記記憶部に記憶された音声データをシャッタ音として設定する設定部と、
前記撮像部による撮像時に前記設定部によりシャッタ音に設定された音声データを出力する音声出力部と、
を備え、
前記情報提供装置は、
音声データを記憶する音声データ記憶部と、
前記携帯電話機から前記要求データを受信する要求データ受信部と、
前記要求データにより要求された音声データを前記音声データ記憶部から読み出す読出部と、
前記読出部により読み出された音声データを前記携帯電話機に送信する音声データ送信部と、
を備えることを特徴とする情報授受システム。
【発明の詳細な説明】
【０００１】
【発明の属する技術分野】
本発明は、携帯電話機及び情報授受システムに関する。
【０００２】
【従来の技術】
近年、携帯電話やＰＨＳ（Ｐｅｒｓｏｎａｌ　Ｈａｎｄｙｐｈｏｎｅ　Ｓｙｓｔｅｍ）等の通信端末機（以下、統括して「携帯電話機」と称す。）の普及が著しく、多機能化及び情報提供サービスの多様化が進んでいる。携帯電話機は、通話やメールの送受信といったコミュニケーション上の用途以外に、楽曲、画像、ゲームのプログラム等のデータをダウンロードして利用したり、付属の撮像装置によって被写体を撮像するような娯楽上の理由で使用される機会が増加している。特に、携帯電話機に記憶された楽曲を選択して、電話着信音、メール着信音、アラーム音、タイマーの計時終了報知音等に設定するサービスは、幅広いユーザに利用されている。
【０００３】
一方、近年ではデジタルカメラの普及も顕著であり、携帯電話機と同様にユーザに提供されるサービスの多様化が求められている。このような要求に答えるため、例えば、デジタルカメラにおいて、予め設定された音声以外の外部記録再生装置に記憶された音声を撮影時のシャッタ音や操作時の操作確認音として利用可能とする発明がなされている（例えば、特許文献１参照）。
【０００４】
【特許文献１】
特開２００１−３５００６２号公報（第７−１０頁、第１図）
【０００５】
【発明が解決しようとする課題】
しかしながら、撮像機能を備えた従来の携帯電話機においては、予め設定された音声以外をシャッタ音として使用できず、ユーザはシャッタ音を自由に選択することができなかった。
【０００６】
本発明の課題は、撮像時のシャッタ音を自由に設定可能とし、ユーザの満足度の向上を図る携帯電話機及び情報授受システムを提供することである。
【０００７】
【課題を解決するための手段】
本発明は、上記課題を解決する為、以下のような特徴を備えている。
【０００８】
請求項１記載の発明は、
被写体を撮像する撮像部を有する携帯電話機において、
通信ネットワークを介して接続された情報提供装置に音声データを要求する要求データを送信する送信部と、
前記要求データにより要求した音声データを前記情報提供装置から受信する受信部と、
前記受信部により受信した音声データを記憶する記憶部と、
前記記憶部に記憶された音声データをシャッタ音として設定する設定部と、
前記撮像部による撮像時に前記設定部によりシャッタ音に設定された音声データを出力する音声出力部と、
を備えることを特徴としている。
【０００９】
請求項２記載の発明は、
被写体を撮像する撮像部を有する携帯電話機と情報提供装置とが通信ネットワークを介して接続された情報授受システムにおいて、
前記携帯電話機は、
前記情報提供装置に音声データを要求する要求データを送信する送信部と、
前記要求データにより要求した音声データを前記情報提供装置から受信する受信部と、
前記受信部により受信した音声データを記憶する記憶部と、
前記記憶部に記憶された音声データをシャッタ音として設定する設定部と、
前記撮像部による撮像時に前記設定部によりシャッタ音に設定された音声データを出力する音声出力部と、
を備え、
前記情報提供装置は、
音声データを記憶する音声データ記憶部と、
前記携帯電話機から前記要求データを受信する要求データ受信部と、
前記要求データにより要求された音声データを前記音声データ記憶部から読み出す読出部と、
前記読出部により読み出された音声データを前記携帯電話機に送信する音声データ送信部と、
を備えることを特徴としている。
【００１０】
請求項１及び２記載の発明によれば、撮像装置を備えた携帯電話機において、撮像時のシャッタ音を自由に設定でき、ユーザの満足度の向上を図ることができる。
【００１１】
【発明の実施の形態】
以下、図を参照して本発明に係る実施の形態を詳細に説明する。
ここで、特許請求の範囲に記載した各構成要素と、以下に述べる実施の形態における各構成要素との対応関係を示す。
【００１２】
以下の実施の形態における無線通信部１４は、特許請求の範囲における受信部及び送信部に相当し、記憶部１５は記憶部に相当し、撮影部１７は撮像部に相当し、送受話部１６は音声出力部に相当し、通信制御部３６は要求データ受信部及び音声データ送信部に相当し、記憶部３５は音声データ記憶部に相当する。
【００１３】
また、携帯電話機１のＣＰＵ１１は、記憶部１５に記憶されたプログラムとの協働により、特許請求の範囲に記載した設定部に相当し、情報提供装置３のＣＰＵ３１は、記憶部３５に記憶されたプログラムとの協働により、特許請求の範囲に記載した読取部に相当する。
なお、上記対応関係は一例であり、これに限定されるものではない。
【００１４】
＜情報授受システム１００の構成＞
図１は、本実施の形態における情報授受システム１００の全体構成を示す図である。図１に示すように、情報授受システム１００は、携帯電話機１と情報提供装置３がネットワークＮを介して相互にデータの送受信が可能なように接続されている。また、図１に示すように、携帯電話機１とネットワークＮの間には無線基地局２が介在する。
【００１５】
なお、図１においては、携帯電話機１、無線基地局２、情報提供装置３が各々１つずつ接続された例が示されているが、各装置、端末、及び基地局の数は特に限定されない。
【００１６】
携帯電話機１は、撮像機能付きの携帯電話機であり、無線基地局２及びネットワークＮを介して情報提供装置３に接続される。携帯電話機１は、情報提供装置３に音声データを要求する要求データを送信し、要求した音声データを情報提供装置１から受信する。
【００１７】
無線基地局２は、移動体通信網等のネットワークＮに接続され、無線基地局２が管理するエリア内にある携帯電話機１と、ネットワークＮに接続された情報提供装置３との間のデータの送受信を行う。
【００１８】
情報提供装置３は、情報をダウンロードするサービスを実施する企業が運営するサーバであり、音声データダウンロードサイトを開設する。情報提供装置３は、ネットワークＮを介して携帯電話機１に接続される。また、情報提供装置３は、複数の音声データを記憶しており、携帯電話機１から要求データを受信すると、要求された音声データを携帯電話機１に送信する。
【００１９】
ネットワークＮは、専用線や既存の一般公衆回線を利用して構築された通信ネットワークであり、ＬＡＮやＷＡＮ等の様々な回線形態を適用することが可能である。外部ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。また、図１において、外部ネットワークＮと各装置、端末間の接続形態は、有線接続でも無線接続でもよい。但し、情報管理の信頼性の観点から、特定のユーザのみがアクセス可能なセキュリティを確保しているネットワークであることが望ましい。
【００２０】
＜携帯電話機１の構成＞
図２は、携帯電話機１の機能的構成を示すブロック図である。図２に示すように、携帯電話機１は、ＣＰＵ（Ｃｅｎｔｒａｌ　Ｐｒｏｃｅｓｓｉｎｇ　Ｕｎｉｔ）１１、入力部１２、表示部１３、アンテナ１４１を備える無線通信部１４、記憶部１５、送受話部１６、撮影部１７、Ｉ／Ｆ１８により構成され、各部は相互にデータの授受が可能なようにバス１９により接続されている。
【００２１】
ＣＰＵ１１は、入力部１２や無線制御部１４から入力されるデータに応じて、記憶装置１５に格納された携帯電話機用の各種処理プログラムに従って各種の制御動作を行う。具体的には、ＣＰＵ１１は、入力部１２を介して入力される指示に従って、後述するシャッタ音設定処理を実行する。また、ＣＰＵ１１は、入力部１２のシャッタキーが押下されると、記憶部１５に記憶されたシャッタ音用の音声データを読み出して送受話部１６に出力する。
【００２２】
入力部１２は、テンキー、各種機能キー、画像の撮影時に使用するシャッタキー等を有し、そのキー操作による押下信号をＣＰＵ１１に出力する。
【００２３】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。具体的には、表示部１３は、図示しないメイン画面、シャッタ音設定画面（図４参照）、音声データ選択画面（図５参照）、確認画面（図６参照）、別名保存画面（図７参照）等を表示する。
【００２４】
無線通信部１４は、アンテナ１４１を有しており、ＣＰＵ１１から入力される指示に従って、無線基地局２との間でＩＭＴ−２０００準拠の通信方式（例えば、Ｗ−ＣＤＭＡやｃｄｍａ２０００）に対応する携帯電話機用の通信プロトコルを実行し、この通信方式で設定される通信チャネルにより、送受話音声の送受信やデータ通信を実行する。
【００２５】
記憶部１５は、ＣＰＵ１１により実行される携帯電話機用の各種アプリケーションプログラム、シャッタ音設定処理プログラム、ＣＰＵ１１により各プログラムを使用して処理された処理結果のデータ等を記憶する。また、記憶部１５は、情報提供装置３により開設された音声データダウンロードサイトのＵＲＬのデータ、ＡＳＣＩＩコード等のフォントデータ、表示部１３における画面表示用のデータ等を格納している。
【００２６】
送受話部１６は、マイク、スピーカ、Ａ／Ｄ変換部、及びＤ／Ａ変換部を有し、マイクから入力されるユーザの送話音声をＡ／Ｄ変換処理して、その送話音声データをＣＰＵ１１に出力するとともに、ＣＰＵ１１から入力される受話音声データや、着信音、操作確認音、シャッタ音等の音声データをＤ／Ａ変換処理して、スピーカから出力する。また、送受話部１６は、入力部１２のシャッタキーの押下信号が入力されると、ＣＰＵ１１により記憶部１５から読み出されたシャッタ音用の音声データをスピーカから出力する。
【００２７】
撮影部１７は、ガラス又はプラスチックからなる光学レンズ、及びＣＣＤ（Ｃｈａｒｇｅ　Ｃｏｕｐｌｅｄ　Ｄｉｏｄｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の撮像素子により構成され、光学レンズを介して入力される画像を撮像素子で電気信号に変換し、画像データを生成する。撮影部１７は、入力部１２のシャッタキーが押下されると、被写体の撮影を実行する。
【００２８】
Ｉ／Ｆ１８は、外部装置と接続するためのインターフェイスであり、携帯電話機１と外部装置との間でデータ転送速度の調整やデータ形式の変換を行い、これらの装置間のデータの授受を仲介する。
【００２９】
ここで、図４〜図７に示す画面表示例を参照して、ＣＰＵ１１により実行されるシャッタ音設定処理について詳細に説明する。
【００３０】
ＣＰＵ１１は、シャッタ音設定処理において、表示部１３に表示された図示しないメイン画面においてシャッタ音設定の指示が入力されると、シャッタ音設定画面（図４参照）を表示部１３に表示させる。図４に示すように、シャッタ音設定画面には、記憶装置１５に記憶された音声データをシャッタ音として選択するためのシャッタ音選択欄４１、「再生」ボタン４２、「決定」ボタン４３、「ダウンロード」ボタン４４が設けられている。
【００３１】
ＣＰＵ１１は、シャッタ音設定画面において「再生」ボタン４２が押下されると、シャッタ音選択欄で選択された音声データを送受話部１６により出力させる。また、ＣＰＵ１１は、「決定」ボタン４３が押下されると、シャッタ音選択欄４１で選択された音声データをシャッタ音として設定して記憶部１５に設定内容を記憶させ、表示部１３に表示させる。また、ＣＰＵ１１は、「ダウンロード」ボタン４４が押下されると、記憶部１５に記憶されたＵＲＬの音声データダウンロードサイトに接続し、無線通信部１４により情報提供装置３から音声データ選択画面（図５参照）の表示用データを受信して表示部１３に表示させる。
【００３２】
図５に示すように、音声データ選択画面には、音声データを選択するための音声データ選択欄５１、「視聴」ボタン５２、「ダウンロード」ボタン５３が設けられており、ＣＰＵ１１は、「視聴」ボタン５２が押下されると、音声データ選択欄５１で選択された音声データのファイル名のデータと、音声データの視聴を要求する視聴要求データを無線通信部１４により情報提供装置３に送信する。ＣＰＵ１１は、無線通信部１４を介して情報提供装置３から再生専用音声データを受信し、送受話部１６のスピーカから出力する。
【００３３】
一方、ＣＰＵ１１は、図５の音声データ選択画面において「ダウンロード」ボタン５３が押下されると、音声データ選択欄５１で選択された音声データのファイル名のデータとダウンロードを要求するダウンロード要求データを無線通信部１４により情報提供装置３に送信する。ＣＰＵ１１は、無線通信部１４を介して情報提供装置３から音声データを受信すると、受信した音声データと同じファイル名の音声データが記憶部１５に既存の場合には、確認画面（図６参照）を表示部１３に表示させる。図６に示すように、確認画面には「上書き保存」ボタン６１と「別名保存」ボタン６２が設けられている。ＣＰＵ１１は、「上書き保存」ボタン６１が押下されると、記憶装置１５に既存の音声データを受信した音声データで上書き保存し、「別名保存」ボタン６２が押下されると、別名保存画面（図７参照）を表示部１３に表示させる。
【００３４】
図７に示す別名保存画面には、ファイル名入力欄７１と「保存」ボタン７２が設けられており、ＣＰＵ１１は「保存」ボタン７２が押下されると、情報提供装置３から受信した音声データをファイル名入力欄７１に入力されたファイル名で記憶部１５に保存する。また、ＣＰＵ１１は、情報提供装置３から受信して記憶部１５に保存した音声データを図４のシャッタ音設定画面のシャッタ音選択欄４１において選択可能とする。
【００３５】
＜情報提供装置３の構成＞
図３は、情報提供装置３の機能的構成を示すブロック図である。図３に示すように、情報提供装置３は、ＣＰＵ３１、入力部３２、表示部３３、ＲＡＭ（Ｒａｎｄｏｍ　Ａｃｃｅｓｓ　Ｍｅｍｏｒｙ）３４、記憶部３５、通信制御部３６により構成され、各部はバス３７により相互にデータの送受信が可能なように接続されている。
【００３６】
ＣＰＵ３１は、記憶部３５に記憶されている各種プログラムを読み出してＲＡＭ３４に展開し、当該プログラムに従って各部を集中制御する。具体的には、記憶部３５に記憶された音声データ提供処理プログラムを読み出して後述する音声データ提供処理等を実行し、その処理結果をＲＡＭ３４に格納するとともに、表示部３３に表示させる。そして、ＲＡＭ３４に格納した処理結果を記憶部３５内部の所定領域に保存させる。
【００３７】
入力部３２は、カーソルキー、数字入力キー、及び各種機能キー等を備えたキーボードを含み、このキーボードで押下されたキーに対応する押下信号をＣＰＵ３１に出力する。なお、入力部３２は、必要に応じてマウス、タッチパネル等のポインティングディバイスや、その他の入力装置を備えることとしてもよい。
【００３８】
表示部３３は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ３１から入力される表示信号の指示に従って画面表示を行う。具体的には、表示部３３は、ＣＰＵ１１による音声データ提供処理の処理結果のデータ等を表示する。
【００３９】
ＲＡＭ３４は、ＣＰＵ３１により実行される各種プログラムやこれら各種プログラムによって処理されたデータ等を一時的に記憶するワークエリアを形成する。
【００４０】
記憶部３５は、プログラムやデータ等が予め記憶されている記録媒体（図示省略）を有しており、この記録媒体は、磁気的、光学的記録媒体、若しくは半導体メモリで構成されている。この記録媒体は、記憶部３５に固定的に設けられるもの、若しくは着脱自在に装着するものであり、この記録媒体には、システムプログラム、当該システムに対応する各種処理プログラム、及び各種処理プログラムで処理されたデータ等を記憶する。上記各種プログラムは、コンピュータが読み取り可能な形態で格納され、ＣＰＵ３１は当該プログラムコードに従った動作を逐次実行する。
【００４１】
記憶部３５は、具体的には、複数の音声データ、音声データ選択画面（図５参照）の表示用データ、ＣＰＵ３１による音声データ提供処理において利用される音声データ提供処理プログラム、携帯電話機１に送信した音声データの送信日時や送信内容の履歴データ等を記憶する。また、上記音声データとしては、１種類の音声データに付き再生専用のデータとダウンロード用のデータが用意され、記憶部３５に記憶されている。再生専用の音声データは、再生終了後に自動的に消去されるデータ形式のデータであり、携帯電話機１に保存することはできない。一方、ダウンロード用の音声データは、携帯電話機１に保存可能である。
【００４２】
通信制御部３６は、ネットワークＮに接続可能なインターフェイスであり、モデムまたはターミナルアダプタ等によって構成される。通信制御部３６は、ネットワークＮを介して携帯電話機１から音声データの要求データを受信したり、要求データにより要求された音声データをＣＰＵ１１の指示に従って携帯電話機１に送信する。
【００４３】
ここで、ＣＰＵ３１により実行される音声データ提供処理について詳細に説明する。
ＣＰＵ３１は、音声データ提供処理において、携帯電話機１による音声データダウンロードサイトへのアクセスを検出すると、携帯電話機１に音声データ選択画面（図５参照）の表示用データを記憶部３５から読み出し、通信制御部３６により携帯電話機１に送信する。また、ＣＰＵ３１は、通信制御部３６によって携帯電話機１から音声データのファイル名のデータ及び視聴要求データを受信すると、受信したファイル名の再生専用音声データを記憶部３５から読み出して、携帯電話機１に送信する。更に、ＣＰＵ１１は、通信制御部３６により携帯電話機１から音声データのファイル名のデータ及びダウンロード要求データを受信すると、受信したファイル名のダウンロード用音声データを記憶部３５から読み出して、携帯電話機１に送信する。
【００４４】
以下、図８及び図９を参照して、携帯電話機１のＣＰＵ１１及び情報提供装置３のＣＰＵ３１の動作を説明する。
【００４５】
＜ＣＰＵ１１の動作＞
図８は、ＣＰＵ１１によるシャッタ音設定処理を示すフローチャートである。図８に示すシャッタ音設定処理において、ＣＰＵ１１は、図示しないメイン画面からシャッタ音の設定指示が入力されたか否かを判別し（ステップＳ１）、設定指示が入力されないと（ステップＳ１；ＮＯ）、待機を続け、設定指示が入力されると（ステップＳ１；ＹＥＳ）、シャッタ音設定画面を表示部１３に表示させ（ステップＳ２）、「再生」ボタン４２が押下されたか否かを判別する（ステップＳ３）。ＣＰＵ１１は、「再生」ボタン４２が押下されると（ステップＳ３；ＹＥＳ）、画面内のシャッタ音選択欄４１で選択された音声データを記憶部１５から読み出して、送受話部１６により出力させ（ステップＳ４）、ステップＳ３に戻る。
【００４６】
一方、ＣＰＵ１１は、シャッタ音設定画面において「再生」ボタン４２が押下されない場合には（ステップＳ３；ＮＯ）、「決定」ボタン４３が押下されたか否かを判別し（ステップＳ５）、「決定」ボタン４３が押下されると（ステップＳ５；ＹＥＳ）、シャッタ音選択欄４１で選択された音声データをシャッタ音として記憶部１５に記憶させ、表示部１３にメイン画面を表示させて（ステップＳ２３）、シャッタ音設定処理を終了する。
【００４７】
ＣＰＵ１１は、シャッタ音設定画面において「決定」ボタン４３が押下されないと（ステップＳ５；ＮＯ）、「ダウンロード」ボタン４４が押下されたか否かを判別し（ステップＳ６）、押下されなければ（ステップＳ６；ＮＯ）、ステップＳ３に戻り、押下されると（ステップＳ６；ＹＥＳ）、無線通信部１４によって記憶部１５に記憶されたＵＲＬの音声データダウンロードサイトに接続し、情報提供装置３から音声データ選択画面の表示用データを受信して表示部１３に表示させる（ステップＳ７）。
【００４８】
次いで、ＣＰＵ１１は、音声データ選択画面において「視聴」ボタン５２が押下されたか否かを判別し（ステップＳ８）、押下されなければ（ステップＳ８；ＮＯ）、ステップＳ１１に移行し、押下されると（ステップＳ８；ＹＥＳ）、無線通信部１４により音声データ選択欄５１で選択された音声データのファイル名のデータと視聴要求データを情報提供装置３に送信する（ステップＳ９）。次に、ＣＰＵ１１は、無線通信部１４により情報提供装置３から再生専用音声データを受信して、送受話部１６から出力し（ステップＳ１０）、ステップＳ１１に移行する。
【００４９】
ＣＰＵ１１は、ステップＳ１１において、音声データ選択画面において「ダウンロード」ボタン５３が押下されたか否かを判別し、押下されなければ（ステップＳ１１；ＮＯ）、ステップＳ８に戻り、押下されると（ステップＳ１１；ＹＥＳ）、音声データ選択欄５１で選択された音声データのファイル名のデータとダウンロード要求データを無線通信部１４により情報提供装置３に送信する（ステップＳ１２）。次いで、ＣＰＵ１１は、無線通信部１４により情報提供装置３からダウンロード用の音声データを受信し（ステップＳ１３）、受信した音声データと同じファイル名のデータが記憶部１５に記憶されているかを判別する（ステップＳ１４）。
【００５０】
ＣＰＵ１１は、情報提供装置３から受信した音声データと同じファイル名のデータが記憶部１５に記憶されていなければ（ステップＳ１４；ＮＯ）、受信した音声データを記憶部１５に記憶させ、シャッタ音設定画面のシャッタ音選択欄４１のリストに受信した音声データのファイル名を追加し（ステップＳ１５）、ステップＳ２に戻る。一方、ＣＰＵ１１は、受信した音声データと同じファイル名のデータが記憶部１５内に既に存在する場合には（ステップＳ１４；ＹＥＳ）、表示部１３に確認画面を表示させる（ステップＳ１６）。
【００５１】
次に、ＣＰＵ１１は、確認画面において「上書き保存」ボタン６１が押下されたか否かを判別し（ステップＳ１７）、押下されたと判別すると（ステップＳ１７；ＹＥＳ）、受信した音声データにより記憶部１５に記憶された同一ファイル名のデータを上書きし、シャッタ音設定画面のシャッタ音選択欄４１のリストに受信した音声データのファイル名を追加して（ステップＳ１８）、ステップＳ２に戻る。一方、ＣＰＵ１１は、「上書き保存」ボタン６１が押下されない場合には（ステップＳ１７；ＮＯ）、「別名保存」ボタン６２が押下されたか否かを判別し（ステップＳ１９）、押下されなければ（ステップＳ１９；ＮＯ）、ステップＳ１７に戻り、押下されると（ステップＳ１９；ＹＥＳ）、表示部１３に別名保存画面を表示させる（ステップＳ２０）。
【００５２】
次いで、ＣＰＵ１１は、別名保存画面において「保存」ボタン７２が押下されたか否かを判別し（ステップＳ２１）、押下されなければ（ステップＳ２１；ＮＯ）、待機を続け、押下されると（ステップＳ２１；ＹＥＳ）、受信した音声データに別名保存画面のファイル名入力欄７１に入力されたファイル名を付加して記憶部１５に記憶させ、シャッタ音設定画面のシャッタ音選択欄のリストに受信した音声データのファイル名を追加して（ステップＳ２２）、ステップＳ２に戻る。
【００５３】
＜ＣＰＵ３１の動作＞
図９は、ＣＰＵ３１による音声データ提供処理を示すフローチャートである。図９に示す音声データ提供処理において、ＣＰＵ３１は、携帯電話機１による音声データダウンロードサイトへのアクセスの有無を判別し（ステップＳ１０１）、アクセスがない場合は（ステップＳ１０１；ＮＯ）、待機を続け、アクセスがあると（ステップＳ１０１；ＹＥＳ）、音声データ選択画面の表示用データを記憶部３５から読み出し、通信制御部３６により携帯電話機１に送信する（ステップＳ１０２）。
【００５４】
次いで、ＣＰＵ３１は、通信制御部３６により携帯電話機１から音声データのファイル名のデータと視聴要求データを受信したか否かを判別し（ステップＳ１０３）、受信した場合には（ステップＳ１０３；ＹＥＳ）、受信したファイル名の視聴専用音声データを記憶部３５から読み出し、通信制御部３６により携帯電話機１に送信し（ステップＳ１０４）、ステップＳ１０３に戻る。
【００５５】
一方、ＣＰＵ１１は、携帯電話機１から音声データのファイル名のデータ及び視聴要求データを受信しない場合には（ステップＳ１０３；ＮＯ）、携帯電話機１から音声データのファイル名のデータ及びダウンロード要求データを受信したか否かを判別する（ステップＳ１０５）。ＣＰＵ１１は、携帯電話機１から音声データのファイル名のデータ及びダウンロード要求データを受信すると（ステップＳ１０５；ＹＥＳ）、受信したファイル名のダウンロード用音声データを記憶部３５から読み出し、通信制御部３６により携帯電話機１に送信し（ステップＳ１０６）、ステップＳ１０３に戻り、受信しない場合には（ステップＳ１０５；ＮＯ）、そのままステップＳ１０３に戻る。
【００５６】
以上のように、情報授受システム１００において、携帯電話機１のＣＰＵ１１は、無線通信部１４により情報提供装置３から音声データを受信して、記憶部１５に記憶させる。また、ＣＰＵ１１は、入力部１２からの入力データにより選択された音声データをシャッタ音として設定し、設定内容を記憶部１５に記憶させる。更に、ＣＰＵ１１は、入力部１２のシャッタキーの押下を検出すると、撮影部１７により撮影を実行させるとともに、シャッタ音に設定された音声データを記憶部１５から読み出して送受話部１６のスピーカから出力させる。
【００５７】
したがって、被写体を撮影する際に出力するシャッタ音を自由に設定することが可能となる。このため、携帯電話機１のユーザは好みの音声データをシャッタ音として利用でき、所望の音声データが携帯電話機１内に予め記憶されていなければ、情報提供装置３からダウンロードしてシャッタ音として利用可能であり、ユーザの満足度を向上させることができる。
【００５８】
なお、上記実施の形態における記述内容は、本発明に係る情報授受システム１００の好適な一例であり、これに限定されるものではない。例えば、情報提供装置３に記憶された携帯電話機１への音声データのダウンロード履歴のデータに基づいて、情報提供装置３のＣＰＵ３１が音声データサービスの利用料金を算出することとしてもよい。
【００５９】
また、上記実施の形態において、シャッタ音として利用する音声データの種類は特に限定されない。例えば、楽曲や効果音等の他に、市販の銀塩カメラのシャッタ音をデジタル化した音声や、「はいチーズ」といった撮影時に使用される頻度が高い音声等を使用してもよい。
【００６０】
その他、情報授受システム１００を構成する各装置、又は各装置の細部構成及び細部動作に関しても、本発明の趣旨を逸脱することのない範囲で適宜変更可能である。
【００６１】
【発明の効果】
請求項１又は２記載の発明によれば、撮像装置を備えた携帯電話機において、撮像時のシャッタ音を自由に設定でき、ユーザの満足度の向上を図ることができる。
【図面の簡単な説明】
【図１】本発明を適用した一実施の形態による情報授受システム１００の全体構成を示す図である。
【図２】図１の携帯電話機１の機能的構成を示すブロック図である。
【図３】図１の情報提供装置３の機能的構成を示すブロック図である。
【図４】図１の表示部１３に表示されるシャッタ音設定画面の一表示例を示す図である。
【図５】図１の表示部１３に表示される音声データ選択画面の一表示例を示す図である。
【図６】図１の表示部１３に表示される確認画面の一表示例を示す図である。
【図７】図１の表示部１３に表示される別名保存画面の一表示例を示す図である。
【図８】図２のＣＰＵ１１により実行されるシャッタ音設定処理を示すフローチャートである。
【図９】図３のＣＰＵ３１により実行される音声データ提供処理を示すフローチャートである。
【符号の説明】
１　携帯電話機
２　無線基地局
３　情報提供装置
１１，３１　制御部
１２，３２　入力部
１３，３３　表示部
１４　無線通信部
１５，３５　記憶部
１６　送受話部
１７　撮影部
１８　Ｉ／Ｆ
１９，３７　バス
３４　ＲＡＭ
３６　通信制御部
１００　情報授受システム
１４１　アンテナ
Ｎ　ネットワーク
【図１】
2004135032.tif 000003
【図２】
2004135032.tif 000004
【図３】
2004135032.tif 000005
【図４】
2004135032.tif 000006
【図５】
2004135032.tif 000007
【図６】
2004135032.tif 000008
【図７】
2004135032.tif 000009
【図８】
2004135032.tif 000010
【図９】
2004135032.tif 000011